(57)【特許請求の範囲】
【請求項１】
先端に形成された噴出口を有しており、当該噴出口より洗浄水を噴出するノズル手段と、前記ノズル手段を伸縮可能に収納する複数の段数のシリンダよりなるシリンダ手段と、
前記シリンダ手段に内包され当該シリンダ手段を伸張側に付勢力が働いた状態で支持する付勢手段と、
伸張された前記シリンダ手段を収縮させるための引き込み手段と、
前記シリンダ手段の伸縮量を制御するモーターと、
を有し、
前記シリンダ手段における前記複数の段数の前記シリンダには、伸縮可能なシリンダが２つ含まれ、
前記伸縮可能な前記シリンダのうちの最先端部に位置するシリンダには、前記ノズル手段が、伸縮可能に設けられている、
衛生洗浄装置。
【請求項２】
前記シリンダ手段内に配置され前記ノズル手段に接続されており、洗浄水を通水するチューブを有する請求項１に記載の衛生洗浄装置。
【請求項３】
前記モーターの正転・逆転により前記シリンダ手段を伸張・収縮させる請求項１または２に記載の衛生洗浄装置。
【請求項４】
前記シリンダが伸張する時は、最先端である前記ノズル手段が優先して伸張される請求項１〜３のいずれか１項に記載の衛生洗浄装置。
【発明の詳細な説明】
【技術分野】
【０００１】
本発明は温水をノズルから噴出して人体の局部を洗浄する温水洗浄便座において、特に洗浄用ノズルの伸縮装置に関する物である。
【背景技術】
【０００２】
本発明に係わる従来技術としては、洗浄水をおしり洗浄ノズルやビデ洗浄ノズルなどの洗浄ノズルから噴出して人体の局部を洗浄する温水洗浄便座が知られている。
【０００３】
洗浄ノズルはシリンダ内に突出自由に収納してあり、この洗浄ノズルにはバネ材により洗浄ノズルをシリンダ内に収納する方向のバネ力が付与してあり、シリンダ内に洗浄水を供給しないときにはバネ力により洗浄ノズルがシリンダ内に収納されるようになっている。洗浄ノズルには通水孔が設けてあり通水孔の降誕部がシリンダ内において開口しており、通水孔の先端部が噴射口となっている。洗浄ノズルの降誕部にはフランジが設けてあり、このフランジの前面にはパッキンが取着してある。フランジの外周とシリンダの内周との間には小間隔があり、また、シリンダの前端縁部の内周と洗浄ノズルの外周との間には隙間が形成してある。
【０００４】
この構成で、ポンプにより洗浄水をシリンダ内に供給した場合、洗浄水により洗浄ノズルに水圧がかかって洗浄ノズルが前進するとともにシリンダ内に供給された洗浄水の一部がフランジの外周とシリンダの内周との間の小間隔を流れてシリンダの前端縁部の内周と洗浄ノズルの外周との間には隙間から外部に吐出されて洗浄ノズルの外面をプレ洗浄するようになっている。この場合、洗浄ノズルの通水孔は一部が絞ってあるので洗浄ノズルが前進している際は噴出口から流れないかあるいは流れても少量流れるのみである。
【０００５】
そして、洗浄ノズルが前進を完了するとパッキンがシリンダの前端縁部に当接して封水がなされ、このため、シリンダに供給される洗浄水は洗浄ノズルの通水孔を通って噴射口から噴射されるものである。
【発明の開示】
【発明が解決しようとする課題】
【０００６】
しかし、上記構成の温水洗浄便座では、シリンダの伸縮動作が、噴射水の水圧により駆動されているので、洗浄範囲を可変するためにシリンダの伸び量の加減や、洗浄制御で洗浄水に揺らぎを与えるための、ノズル部分の前後動作など細かな動きの制御を行うことが困難である。
【０００７】
そこで本発明は、シリンダ、ノズルの伸縮動作をより精密に制御でき、快適な洗浄を行うことを技術的課題とする。
【課題を解決するための手段】
【０００８】
上記課題を解決するために本発明の衛生洗浄装置は、先端に形成された噴出口を有しており、当該噴出口より洗浄水を噴出するノズル手段と、ノズル手段を伸縮可能に収納する複数の段数のシリンダよりなるシリンダ手段と、シリンダ手段に内包され当該シリンダ手段を伸張側に付勢力が働いた状態で支持する付勢手段と、伸張されたシリンダ手段を収縮させるための引き込み手段と、シリンダ手段の伸縮量を制御するモーターと、を有し、シリンダ手段における複数の段数のシリンダには、伸縮可能なシリンダが２つ含まれ、伸縮可能なシリンダのうちの最先端部に位置するシリンダには、ノズル手段が伸縮可能に設けられているものである。そして、ノズル手段を伸縮可能に収納するシリンダ手段を付勢手段で伸張側に付勢され、シリンダ手段を引き込み手段で引き込み、シリンダ手段の伸縮量をモーターの回転量で制御される。
【発明の効果】
【０００９】
本発明の衛生洗浄装置によると、シリンダは付勢手段で伸張側に付勢されており、シリンダを引き込み手段で引き込み、モーターでシリンダの伸縮量を制御することで、ノズルの長さを正確に制御できる。
【発明を実施するための最良の形態】
【００１０】
第１の発明は、先端に形成された噴出口を有しており、当該噴出口より洗浄水を噴出するノズル手段と、ノズル手段を伸縮可能に収納する複数の段数のシリンダよりなるシリンダ手段と、シリンダ手段に内包され当該シリンダ手段を伸張側に付勢力が働いた状態で支持する付勢手段と、伸張されたシリンダ手段を収縮させるための引き込み手段と、シリンダ手段の伸縮量を制御するモーターと、を有し、シリンダ手段における前記複数の段数のシリンダには、伸縮可能なシリンダが２つ含まれ、伸縮可能な前記シリンダのうちの最先端部に位置するシリンダには、ノズル手段が、伸縮可能に設けられているものであり、シリンダは付勢手段で伸張側に付勢されており、シリンダを引き込み手段で引き込み、モーターでシリンダの伸縮量を制御することで、ノズルの長さを正確に制御できる。
【００１１】
第２の発明は、特に第１の発明において、シリンダ手段内に配置されノズル手段に接続されており、洗浄水を通水するチューブを有するものであり、シリンダ内に直接水を通すことが無いので、シリンダ間からの水漏れを無くすことができ、シリンダ間の隙間のシールを不要にできる。
【００１２】
第３の発明は、特に第１のまたは第２の発明において、モーターの正転・逆転により前記シリンダ手段を伸張・収縮させるものであり、モーターの正逆転の回転量により、ノズルの長さを正確に制御できる。
【００１３】
第４の発明は、特に第１から３のいずれか１つの発明において、シリンダが伸張する時は、最先端である前記ノズル手段が優先して伸張されるものであり、使用時にノズルを始めに出すことができる。
【００１４】
以下、本発明の実施の形態について図面を用いて説明する。
【００１５】
（実施の形態１）
図１は本発明の衛生洗浄装置の構成図を示す。図２には、本発明の衛生洗浄装置の水回路構成を示す。
【００１６】
図１において、１は便器であり、２は便座であり、３は洗浄装置本体、４は洗浄ビデノズル５は、洗浄おしりノズルである。
【００１７】
図２を用い洗浄用温水が洗浄ノズルより噴出されるまでの経路を説明する。
【００１８】
まず本体又はリモコン（図示せず）に設けられた洗浄スイッチ（図示せず）を入りにすることで、止水電磁弁６が開き、分岐栓７よりストレーナー８通り、水が流入する。流量は流量センサ９の計測値をもとに制御回路（図示せず）により定流量弁１０で、所定の値になるように絞られ、一定流量の水が熱交換器１１で所定の温度のお湯になるまで温められ、その後切換弁１２で、ビデノズル４かお尻ノズル５何れかの洗浄ノズルに送られ、ノズル先端孔から噴出する。
【００１９】
図３は本発明の衛生洗浄装置の洗浄水噴出伸縮ノズルを示すものである。
【００２０】
上記したように洗浄スイッチがｏｎされると洗浄水が選ばれたノズルに供給される。そ
の際の動きについて図３をもとに説明する。図３において１３は圧縮バネ１４はシリンダＡ、１５はシリンダＢ、１６はシリンダＣ、１７はノズルで相互に伸縮自在に係合している。また圧縮バネ１３の作用によりシリンダＡ１４、シリンダＢ１５及びシリンダＣ１６は常に伸張側に付勢力が働いている。１８は引っ張り用ワイヤである。
【００２１】
待機状態では、図４に示すようにこのワイヤは、シリンダが縮んだ状態まで巻き取られている。洗浄スイッチが入るとまず、モーター２１が逆転することで、ワイヤが送り出され、ワイヤが送られた長さ分だけ圧縮バネ１３の作用により各シリンダＡ１４、Ｂ１５、Ｃ１６が伸張する。シリンダの伸縮量はモーター２１の回転数をカウントすることで制御を行っており、本発明においてはノズル１７標準位置とする４３ｍｍまでシリンダが延びる。
【００２２】
洗浄スイッチのｏｆｆにより止水電磁弁が閉じ、ノズルへの出湯が停止され、その後モーター２１の正転によりワイヤ１８が巻き取られ各シリンダが後退してシリンダ１の中に収納され、モーター２１が停止し、待機状態となる。
【００２３】
なお図５に示すように、圧縮バネの構成を複数用いたものとし先端ノズルの支持バネ１９をバネ定数が大きく、反発力を大きいものとすることで、先端部分のノズルが常に優先的に出ている状態を保つことができ、ノズルの噴出口が、常に開口しているので、例えばノズルを前後に揺動させて、洗浄水を揺らぎさせるような場合でもノズルの噴出口が塞がれないようにすることができる。
【００２４】
（実施の形態２）
本発明の実施の形態２について図６をもとにして説明する。
【００２５】
本実施の形態において、ノズルへの給水行程は実施の形態１と同様であるのでその説明は省略する。
【００２６】
本実施の形態において実施の形態１と異なる点は、実施の形態１においては、洗浄水はシリンダの中を通り噴出口より、噴出されていたが、この場合各シリンダ間の隙間を完全に水が漏れないようにするためにはシールをする必要があり、シールをした場合摺動部の抵抗が増え、シリンダの伸縮作用力が大きくなるのでバネ圧や引っ張り力が大きくなってしまう。この力を小さくするためシールを甘くすると、水もれが発生する等の課題がある。そこで本実施の形態ではシリンダの中に送水用のフレキシブルなチューブ２０を通し、この中を通水することにより、シリンダ内に直接水を通すことが無いので、シリンダにシールをする必要が無くなり、シリンダ伸縮時の負荷が減る。このシリンダに内装されたチューブ２０は、シリンダの伸縮に応じてシリンダ内に出し入れする必要がある。
【００２７】
本実施の形態では、チューブ移送手段として図７に示すような構成をなしている。図７において２１はモーターであり、モーター２１で駆動される二つのローラー２２ａ、ｂ間にはチューブ２０が挟み込まれており、モーター２１の駆動とともにローラー２２が回転し、それに圧接されたチューブ２０はローラー２２の回転方向に応じて前後に移動する。本発明においても、実施の形態１で説明したようにシリンダ本体は、前記したモーターと圧縮バネとワイヤーにより伸縮を行うが、モーターは前記したローラー駆動用モーターと兼用されており、シリンダの伸縮量とチューブの移送量は同量となるように同期している。
【００２８】
すなわちシリンダが縮んだ分だけ、チューブを引き込みシリンダ内でチューブが邪魔にならないようにしている。また、逆にシリンダが伸びた場合は、その分だけチューブをシリンダ側に戻してやる。このような構成によりシリンダ内に中部を通すことを可能として
いる。
【００２９】
（実施の形態３）
本発明の実施の形態３について図８をもとにして説明する。
【００３０】
本実施の形態において、ノズルへの給水行程は実施の形態１、２と同様であるのでその説明は省略する。
【００３１】
本実施の形態において実施の形態２と異なる点は、実施の形態２ではシリンダ内のチューブ２０をモーター２１の駆動により、移送していたが、本実施の形態においては、チューブをコイル状にカールした物とし、このカールチューブをシリンダ内に納め、シリンダの伸縮に応じてチューブ自体を伸縮させることにより、シリンダ長さにチューブ長さを適応させるようにし、シリンダ内でチューブが邪魔になることを無くす。すなわちメカ的な追加構成を必要とせず簡易な構成でシリンダ内にチューブ配管を実現できる。
【００３２】
なお図９に示すようにカールしたチューブに圧縮バネを一体で成形することにより、シリンダ内でのバネとチューブが絡まることが無くなり、よりシンプルな構成とすることができる。
【００３３】
またチューブその物をバネ性を持つ材料で形成することで、圧縮バネを無くすことができさらに簡易な構成で伸縮ノズル機構を構成できる。
【図面の簡単な説明】
【００３４】
【図１】本発明の第１の実施の形態を示す衛生洗浄装置の構成図
【図２】本発明の第１の実施の形態の衛生洗浄装置の水回路の構成図
【図３】本発明の第１の実施の形態の衛生洗浄装置の伸縮ノズルの構成図
【図４】本発明の第１の実施の形態の衛生洗浄装置の他の伸縮ノズルの構成図
【図５】本発明の第１の実施の形態の衛生洗浄装置の伸縮ノズルの他の構成図
【図６】本発明の第２の実施の形態を示す衛生洗浄装置の構成図
【図７】本発明の第２の実施の形態の衛生洗浄装置の伸縮ノズルの構成図
【図８】本発明の第３の実施の形態を示す衛生洗浄装置の構成図
【図９】本発明の第３の実施の形態の衛生洗浄装置の伸縮ノズルの構成図
【符号の説明】
【００３５】
１  便器
２  便座
３  洗浄装置本体
４  洗浄ビデノズル
５  洗浄おしりノズル
１３  圧縮バネ
１４  シリンダＡ
１５  シリンダＢ
１６  シリンダＣ
１７  ノズル
１８  ワイヤ
２０  チューブ
【図１】
0004345806.tif 000002
【図２】
0004345806.tif 000003
【図３】
0004345806.tif 000004
【図４】
0004345806.tif 000005
【図５】
0004345806.tif 000006
【図６】
0004345806.tif 000007
【図７】
0004345806.tif 000008
【図８】
0004345806.tif 000009
【図９】
0004345806.tif 000010